(57)【要約】  ５つの側面および開かれた底部を有し、上部内にティッシュ引き出し開口部を備えた剛性オーバーシェルを備えたティッシュ供給システムは、余裕を持ってサイズ設定された上包み内に包み込まれたティッシュシートのクリップを含む、曲げて開くパックを受け入れるように適合され、この上包みは、その中に形成された中央脆弱線であって、脆弱線が破かれ、ティッシュパックがオーバーシェル内に置かれた後、ティッシュ引き出し開口部からティッシュを引き出すことを可能にするように位置する、中央脆弱線を有する。
2018505104.tif 000002
【特許請求の範囲】
【請求項１】
ブティックサイズの余裕を持って緩く嵌合し、曲げて開く平坦な低密度の複数のポリマーシートティッシュカセットであって、各ティッシュカセットは、熱シールされたポリマーフィルム上包みをその周りに有するティッシュのクリップを含み、前記ポリマー上包み内に、横断方向に延びる中央穿孔線が脆弱線を形成する、ポリマーシートティッシュカセットと、
少なくとも約４．５インチ（１１．４３ｃｍ）の高さおよび約４．２５インチ（１０．８ｃｍ）の横方向寸法を有する内部空洞を画定する、少なくとも４つの上方向に延びる側壁を有する剛性の再使用可能な全体的に立方体のオーバーシェルであって、前記内部空洞は、中に供給開口部が形成された水平に延びる上壁によって閉じられる、オーバーシェルとを備え、
各前記低密度のポリマーシートティッシュカセットは、少なくとも約９．５インチ（２４．１３ｃｍ）の内部スパン長さおよび少なくとも約６．０インチ（１５．２４ｃｍ）の内部スパン幅を有し、
前記クリップ内の各前記ティッシュは、その長さに沿って、約７（１７．７８ｃｍ）から９．５インチ（２４．１３ｃｍ）の長さ、約３．５（８．８９ｃｍ）から５．７５インチ（１４．６１ｃｍ）の幅を有し、少なくとも約１５ｌｂｓ／３０００平方フィートリームの基本重量を有する約５０から１５０枚の２枚重ねシートを含む、Ｃ字形状（Ｃ字折り畳み）または折り込まれた構成から選択された構成になるように事前に折り畳まれることを特徴とするパッケージ。
【請求項２】
請求項１に記載のパッケージであって、前記立方体オーバーシェルが、少なくとも約４．７５インチ（１２．０７ｃｍ）の内部高さおよび少なくとも約４．２５インチ（１０．８ｃｍ）の内部横方向寸法を有することを特徴とするパッケージ。
【請求項３】
請求項１に記載のパッケージであって、前記立方体オーバーシェルが、少なくとも約４．８５インチ（１２．３２ｃｍ）の内部高さおよび少なくとも約４．５インチ（１１．４３ｃｍ）の内部横方向寸法を有することを特徴とするパッケージ。
【請求項４】
請求項１に記載のパッケージであって、立方体のオーバーシェルが、少なくとも約５インチ（１２．７ｃｍ）の内部高さおよび少なくとも約４．７５インチ（１２．０７ｃｍ）の内部横方向寸法を有することを特徴とするパッケージ。
【請求項５】
請求項４に記載のパッケージであって、各ポリマーティッシュカセットが、少なくとも約６．５インチ（１６．５１ｃｍ）の内部スパン幅を有し、前記ティッシュクリップが、約３．５（８．８９ｃｍ）から約５．７５インチ（１４．６１ｃｍ）の幅を有することを特徴とするパッケージ。
【請求項６】
請求項１に記載のパッケージであって、各ポリマーティッシュカセットが、少なくとも約６．５インチ（１６．５１ｃｍ）の内部スパン幅を有し、前記ティッシュクリップが、約３．５（８．８９ｃｍ）から約５．７５インチ（１４．６１ｃｍ）の幅を有することを特徴とするパッケージ。
【請求項７】
脆弱線を形成する、横断方向に延びる中央穿孔線を有する、曲げて開くポリマーシートティッシュカセットであって、前記曲げて開くポリパックティッシュカセットは、ティッシュシートの事前に折り畳まれたクリップを包含し、前記ポリパックシートティッシュカセットは、少なくとも約５．７５インチ（１４．６１ｃｍ）の内部スパン幅を有し、約５．１５インチ（１３．０８ｃｍ）を超えない幅と、約１４ｌｂｓ／３０００平方フィートリームから約２５ｌｂｓ／３０００平方フィートリームまでの基本重量とを有する少なくとも２枚重ねを有するティッシュの約７５から１２５シートを含み、前記曲げて開くポリマーシートティッシュカセットは、曲げたときに脆弱線に張力がかけられるように、少なくとも約５インチ（１２．７ｃｍ）の幅を有する開口部を形成することができる、前記カセットを横断して形成された、横断方向に延びる中央脆弱線を有することを特徴とする曲げて開くポリマーシートティッシュカセット。
【請求項８】
請求項７に記載の曲げて開くポリマーシートティッシュカセットであって、前記ポリパックシートティッシュカセットが、少なくとも約６インチ（１５．２４ｃｍ）の内部スパン幅を有し、約５インチ（１２．７ｃｍ）を超えない幅と、約１４ｌｂｓ／３０００平方フィートリームから約２５ｌｂｓ／３０００平方フィートリームまでの基本重量とを有する少なくとも２枚重ねを有するティッシュの約７５から１２５シートを含むことを特徴とする曲げて開くポリマーシートティッシュカセット。
【請求項９】
請求項８に記載の曲げて開くポリマーシートティッシュカセットであって、ティッシュの前記クリップが、約１”（２．５４ｃｍ）から約２．２”（５．５９ｃｍ）の間の高さを有することを特徴とする曲げて開くポリマーシートティッシュカセット。
【請求項１０】
内部空洞を画定する少なくとも４つの上方向に延びる側壁を有する、剛性の再使用可能な全体的に立方体のオーバーシェルを備える、ティッシュ供給システムであって、前記内部空洞が、供給開口部が中に形成された水平方向に延びる上側壁によって閉じられ、その中に、脆弱線を形成する横断方向に延びる中央穿孔線を有する、曲げて開くポリパックシートティッシュカセットが配設され、前記曲げて開くポリパックシートティッシュカセットは、ティッシュシートの事前に折り畳まれたクリップを包含し、各前記低密度のポリマーシートティッシュカセットは、そこを横切って形成された横断方向に延びる中央脆弱線であって、前記脆弱線に張力がかけられるように曲げられたときに開口部を形成することができる、中央脆弱線を有することを特徴とするティッシュ供給システム。
【請求項１１】
請求項１０に記載のティッシュ供給システムであって、前記ポリパックが、その中に包含されたティッシュの前記事前に折り畳まれたクリップの下側部分周りに耐水シールを形成することを特徴とするティッシュ供給システム。
【請求項１２】
請求項１０に記載のティッシュ供給システムであって、言語の区別を問わない絵による使用および開封指示が、ポリマー材上に印刷されることを特徴とするティッシュ供給システム。
【請求項１３】
請求項１０に記載のティッシュ供給システムであって、言語の区別を問わない絵による使用および開封指示が、前記曲げて開くポリパックシートティッシュカセットに関連付けられた包装上に印刷されることを特徴とするティッシュ供給システム。
【請求項１４】
請求項１０に記載のティッシュ供給システムであって、前記クリップ内の前記ティッシュシートが、折り込まれることを特徴とするティッシュ供給システム。
【請求項１５】
請求項１０に記載のティッシュ供給システムであって、前記クリップ内の前記ティッシュシートが、Ｃ字に折り畳まれることを特徴とするティッシュ供給システム。
【請求項１６】
請求項１０に記載のティッシュ供給システムであって、
前記ポリパックシートティッシュカセットが、少なくとも約６インチ（１５．２４ｃｍ）の内部スパン幅を有し、約５インチ（１２．７ｃｍ）を超えない幅と、約１４ｌｂｓ／３０００平方フィートリームから約２５ｌｂｓ／３０００平方フィートリームまでの基本重量とを有する少なくとも２枚重ねを有する約７５から１２５シートのティッシュを含み、
ティッシュの前記クリップが、約１”（２．５４ｃｍ）から約２．２”（５．５９ｃｍ）の間の高さを有し、
前記クリップ内の各前記ティッシュが、その長さに沿って、約７（１７．７８ｃｍ）から９．５インチ（２４．１３ｃｍ）の長さを有するＣ字形状構成になるように事前に折り畳まれ、
前記クリップの横断方向周囲の、前記ポリの内部横断方向周囲に対する比が、約０．５５から約０．８５の間であり、
前記ポリパックが、中に包含されたティッシュの前記事前に折り畳まれたクリップの前記下側部分の周りに耐水シールを形成し、
言語の区別を問わない絵による使用および開封指示が、前記曲げて開くポリパックシートティッシュカセットに関連付けられた包装上に印刷されることを特徴とするティッシュ供給システム。
【請求項１７】
請求項１０に記載のティッシュ供給システムであって、前記クリップの横断方向周囲の、前記ポリの内部横断方向周囲に対する比が、約０．５５から約０．８５の間であることを特徴とするティッシュ供給システム。
【請求項１８】
請求項１７に記載のティッシュ供給システムであって、前記ポリパックが、中に包含されたティッシュの前記事前に折り畳まれたクリップの下側部分の周りに耐水シールを形成することを特徴とするティッシュ供給システム。
【請求項１９】
脆弱線を形成する、横断方向に延びる中央穿孔線を有する、曲げて開くポリマーシートティッシュカセットであって、前記曲げて開くポリパックティッシュカセットは、ティッシュシートの事前に折り畳まれたクリップを包含し、前記ポリパックシートティッシュカセットは、少なくとも約５．７５インチ（１４．６１ｃｍ）の内部スパン幅を有し、約５．１５インチ（１３．０８ｃｍ）を超えない幅と、約１３ｌｂｓ／３０００平方フィートリームから約３０ｌｂｓ／３０００平方フィートリームまでの基本重量とを有する少なくとも２枚重ねを有するティッシュの約７５から１２５シートを含み、前記曲げて開くポリマーシートティッシュカセットは、前記カセットを横断して形成された、横断方向に延びる中央脆弱線であって、前記脆弱線を曲げたときに張力がかかるように、少なくとも約５インチ（１２．７ｃｍ）の幅を有する開口部を形成することができる、中央脆弱線を有することを特徴とする曲げて開くポリマーシートティッシュカセット。
【請求項２０】
請求項１９に記載の曲げて開くポリマーシートティッシュカセットであって、前記ポリパックシートティッシュカセットが、少なくとも約６インチ（１５．２４ｃｍ）の内部スパン幅を有し、約５インチ（１２．７ｃｍ）を超えない幅と、約１５ｌｂｓ／３０００平方フィートリームから約２７ｌｂｓ／３０００平方フィートリームまでの基本重量とを有する少なくとも２枚重ねを有するティッシュの約７５から１２５シートを含むことを特徴とする曲げて開くポリマーシートティッシュカセット。
【請求項２１】
請求項１９に記載の曲げて開くポリマーシートティッシュカセットであって、ティッシュの前記クリップが、約１”（２．５４ｃｍ）から約２．２”（５．５９ｃｍ）の間の高さを有することを特徴とする曲げて開くポリマーシートティッシュカセット。
【請求項２２】
請求項２１に記載の曲げて開くポリマーシートティッシュカセットであって、前記クリップの横断方向周囲の、前記ポリの内部横断方向周囲に対する比が、約０．７から約０．９５の間であることを特徴とする曲げて開くポリマーシートティッシュカセット。
【請求項２３】
脆弱線を形成する、横断方向に延びる中央穿孔線を有する、曲げて開くポリマーシートティッシュカセットであって、前記曲げて開くポリパックティッシュカセットは、約１３ｌｂｓ／３０００平方フィートリームから約４０ｌｂｓ／３０００平方フィートリームまでの基本重量と、８シートあたり約３０から１３０ミルの間であるキャリパとを有するティッシュの約７５から１２５ティッシュシートの事前に折り畳まれたクリップを包含し、前記クリップの横断方向周囲が、前記ポリパックの内部横断方向周囲の約０．７７から０．９２の間であり、前記曲げて開くポリマーシートティッシュカセットが、そこを横切って形成された、横断方向に延びる中央脆弱線であって、曲げたときに前記脆弱線に張力がかけられるように、前記ティッシュクリップの前記幅および高さの少なくともほぼ合計の長さを有する開口部を形成することができる、中央脆弱線を有することを特徴とする曲げて開くポリマーシートティッシュカセット。
【請求項２４】
請求項２３に記載の曲げて開くポリマーシートティッシュカセットであって、前記ティッシュ製品が：
（ａ）３０００平方フィートリームあたり約１６から２５ポンドの基本重量と、８シートあたり約５０から１３０ミルの間のキャリパとを有するナプキンストック、
（ｂ）約１４から２５ｌｂｓ／３０００平方フィートリームの基本重量と、８シートあたり約４０から７０ミルの間のキャリパとを有するティッシュペーパストック、
（ｃ）３０００平方フィートリームあたり約２０から４０ポンドの間の基本重量と、８シートあたり約５０から７０ミルの間のキャリパとを有するタオルストック、および
（ｄ）３０００平方フィートリームあたり１５から３０ポンドの間の基本重量と、８シートあたり３０から７０ミルの間のキャリパとを有する拭き取り紙ストックからなる群から選択されることを特徴とする曲げて開くポリマーシートティッシュカセット。
【発明の詳細な説明】
【技術分野】
【０００１】
本発明は、ポリパックティッシュカセットに関する。
【背景技術】
【０００２】
関連出願の相互参照
本出願は、２０１６年２月１１日出願の米国特許非仮出願第１５／０４１，３１９号、２０１５年４月２７日出願の米国特許仮出願第６２／１５３，２３６号、および２０１５年２月１６日出願の米国特許仮出願第６２／１１６，７１９号に基づき、これら文献は、全体的に本願に引用して援用する。
【０００３】
消費者が最終的に負担しなければいけない製品コストの大部分を構成することが多い多くの消費製品にとって、包装は、その成功または不成功において重要な違いをもたらし得る。ティッシュペーパは、通常は長円形の、ティッシュがそこから供給される上部開口部を有するほぼ立方体の板紙カートン内に入れられる「ブティック」の形態で販売されることが多い。板紙カートンは、ティッシュペーパのコストに大きく付加されるため、この形態は、広く使用されてはいるが、非常に不経済である。さらに、段ボールの内側に多くのブティックキューブを入れることは、かなり不経済であり、その理由は、ティッシュが折り畳まれたクリップになるように折り返されたとき、これは、折り畳まれる前の平坦なクリップの嵩よりかなり大きい嵩を占めるため、所与の段ボール容器内に置くことができる箱型ブティックティッシュの量が、段ボールの容積に対してかなり少なくなるためである。効果的にトラック輸送することができるティッシュの量は、重量よりも嵩によって限定されるため、これは、箱入れ費用だけでなく輸送コストにも大きく付加される。
【０００４】
ほとんど立方体のブティック形態を消費者が好む標準的なティッシュサイズに一致させるために、ブティックパッケージ内のティッシュは通常、折り畳まれたティッシュの折り畳まれたまたは折り込まれたクリップとして配備され、この場合、各ティッシュの長手方向外縁の各々は、最初に、これらがシートの長手方向中心線に沿って中央で交わるように内方向に折り畳まれる。その後、上下に積み重ねることによって約１００枚のこれらのティッシュのクリップが形成され、積み重ねられたクリップは、折り畳まれたティッシュクリップの中央部分をブティックパッケージの上部内の長円形開口部から突起させて長手方向に折り畳まれる。ティッシュペーパはまさにその性質上、柔らかくなければならないので、ティッシュの引っ張り強さは限定されなければならない。したがって、包装が特定のティッシュ形態にうまく適合されない場合、シートを破かずにまたはパッケージをその所望の場所から持ち上げずに、ブティックパッケージからシートを容易に取り出すことは難しくなり得る。この目的のために、ティッシュシートとカートンの内部の間の摩擦を低減するためにブティックカートンの内部がポリエチレンで部分的に裏張りされる、ブティックカートン設計が使用されている。ポリエチレンの内張りを設けることは、カートンのコストに付加され、それによってすでに不経済である形態をさらに悪化させる。たとえば、ホー（Ｈｏ）らの米国特許第６，６７２，４７５号およびホッチキス（Ｈｏｔｃｈｋｉｓｓ）の米国特許第４，４１１，３７４号を参照されたい。多くの場合、特にホテルおよびモーテルの部屋内の場合、ブティックカートンは、顧客の外観的好みにより良好に適合させるために底部がない、再使用可能な５面のプラスチックまたは金属のオーバーシェル内に置かれる。他の場合、ティッシュの長い箱もまた、ティッシュペーパにしばしば使用されるより従来的な矩形の角柱カートン包装を収容するようにサイズ設定されたプラスチックオーバーシェル内に置かれ得る。
【０００５】
ブティックカートンの接地面積は比較的小さいため、これは、空間が限定される浴室において、自由直立箱内で、またはより一般的には底部がない５面のプラスチックオーバーシェル内で使用することが特に有利になり得るが、典型的な従来のプラスチックオーバーシェルの底部は、そのため水の影響を受けやすく、それによって適切性を打ち消す。特に、ティッシュペーパがホテル／モーテル用途において提供されるとき、宿泊客は、カウンタ上の水はねに非常に無頓着であることが多く、それによって、かなりの量のティッシュが使用されないままであっても、底部が水で濡らされたというだけでティッシュの箱を取り換えることが必要になる。モーテルおよびホテルの営業利益を考えた場合、ティッシュの早期の取り換えは、経営者に不当な負担を課す可能性があることが理解され得る。
【先行技術文献】
【特許文献】
【０００６】
【特許文献１】米国特許第６，６７２，４７５号明細書
【特許文献２】米国特許第４，４１１，３７４号明細書
【発明の概要】
【発明が解決しようとする課題】
【０００７】
したがって、再使用可能なプラスチックオーバーシェルの内側の箱型ティッシュペーパのブティック包装はいくつかの注目すべき問題を呈することが理解され得る：
・板紙カートン、ならびにポリエチレン内張りおよびブティック箱を容易に取り扱える束にして一緒に結合させる上包みのコスト；
・段ボールの所与の容積内に含むことができるティッシュの量に対する段ボール製上包みのコスト、ならびに板紙カートンの製造および廃棄の関連する環境の影響；
・この形態の輸送コスト；
・感水性および付随する損傷；
・装填問題；および
・容器からのティッシュの供給。
【課題を解決するための手段】
【０００８】
ティッシュの長い箱がプラスチックオーバーシェル内に置かれたとき、類似の問題が呈される。これらの問題の多くは板紙カートンを解消することによって軽減できることを本発明者は見出した。特に、多くの場合、板紙箱が解消された場合、７５％多いティッシュを発送することができる。しかし、ティッシュは依然として、輸送および顧客への販売の両方のためにパックされなければならないため、板紙カートンの削除だけでは問題のすべてを軽減せず、単にポリマー上包みをティッシュの折り畳まれたまたは広げられたクリップ上に密接嵌合させることは、供給における問題を引き起こすだけでなく、プラスチックオーバーシェルの装填を顧客にとって難しくし得る。特に、従来の密接嵌合するポリマー上包みは、ブティック形態のティッシュの適切な供給を大きく妨げる可能性があり、多くの場合、上包みがクリップのサイズを大きく超えるサイズを有してない限り適切な供給を妨げることを本発明者は見出した。現在のブティック形態に関連するこうした問題の多くは、ティッシュの広げられた、積み重ねられたクリップを、余裕を持ってサイズ設定された上包み内にパックすることによって軽減できることを本発明者は見出し、ここでは、横断方向に延びる脆弱線が上包みの１つの面を横切って中央に置かれ、それにより、プラスチックシェル内のティッシュを取り換えることを望むとき、取り換えクリップを長手方向に折り曲げて、横断方向に延びる脆弱線に張力をかけ、これを破り、その後ティッシュをオーバーシェル内に挿入することができるが、多くの場合、ユーザは、指の爪または他の適切な物体を脆弱線に沿って走らせることによって開封を開始する。この箱無し設計はまた、ティッシュの従来の箱が消耗してきたとき、特にティッシュクリップが箱内に落下し得るほどティッシュが消耗したとき、ユーザは箱からティッシュを取り出すことがますます難しくなる傾向があるという、従来の箱型ティッシュのほぼ空の箱に係わる問題も軽減する。本発明の箱無しティッシュカセットを使用することにより、ティッシュが箱内に落下する傾向が、大きく軽減される。
【０００９】
余裕を持ってサイズ設定され、緩く嵌合し、曲げて開くまたは撓ませて開く、平坦なポリパックティッシュカセットであって、余裕を持ってサイズ設定されたとき、５面のプラスチックオーバーシェルの内側からの供給を容易にする横断方向に延びる中央脆弱線を有する、ポリパックティッシュカセットを提供することにより、優れた結果を達成できることを本発明者は見出した。本発明の包装形態では、ティッシュペーパは、平坦に、省スペースでパックされ、発送され得る。使用準備において、消費者は、平坦なポリパックを横断方向に延びる中央脆弱線に沿って曲げ、または撓ませるだけでよく、それによって脆弱線に張力をかけ、ポリパックを開き、折り畳まれたパックをプラスチックオーバーシェル内に挿入するときにその内容物にアクセスできるようになる。多くの場合、消費者は、指の爪を脆弱線に沿って走らせて開封を容易にし、または曲げるまたは撓ませる前にポリパックを少なくとも部分的に開封することを好む。プラスチックオーバーシェルが底無しであっても、水による損傷の可能性は、完全に取り除かれなくとも軽減され、その理由は、クリップの下側端部はポリ内に収まったままでありながら、ティッシュをプラスチックオーバーシェルの上部から容易に引き出すことができるためである。したがって、板紙ブティックカートンに関連する過剰コストが解消されるだけでなく、板紙カートンの廃棄による環境の影響ならびに水が従来の箱型ブティックティッシュの底部に染みこんだ結果生じる破棄を回避しながら、所与のスペース内により多くのティッシュを保管することも可能である。驚くべきことに、ブティックオーバーシェルの内側で良好に機能する上包みされたティッシュのこの同じ構成はまた、通常長い箱と共に使用される矩形の角柱オーバーシェルと併用して使用されたときにも良好に機能することを本発明者は見出した。
【００１０】
ホテル／モーテル用途において使用されたとき、現在使用されているブティック箱および長い箱は、その各々が、新しい箱を各部屋に運び入れ、消耗したおよび／または損傷した箱を運び出す必要があるために、部屋の準備物および掃除用品を部屋に運び入れ、運び出すために使用されるカート上で多くの空間を占めるため、宿泊客ごとに部屋を準備する作業者に保管および輸送問題を呈している。さらに、新しい箱が、部屋に到達する前に美観上損傷を受けた場合、多くの施設では、損傷した箱は、使用に適さないと考えられているため、廃棄される。
【図面の簡単な説明】
【００１１】
【図１】ティッシュクリップ周りの材料の余剰分が幾分誇張された、横断方向に延びる中央脆弱線を有する、余裕を持ってサイズ設定され、緩く嵌合し、曲げて開く平坦なポリパックティッシュカセットの概略等角斜視図である。
【図２】横断方向に延びる中央脆弱線を有する、余裕を持ってサイズ設定され、緩く嵌合し、曲げて開く平坦なポリパックティッシュカセットの概略平面図である。
【図３】横断方向に延びる中央脆弱線を有する、余裕を持ってサイズ設定され、緩く嵌合し、曲げて開く平坦なポリパックティッシュカセットの図２の線３−３に沿って切り取られた概略断面図である。
【図４】余裕を持ってサイズ設定され、緩く嵌合し、曲げて開く平坦なポリパックティッシュカセットの図２の線４−４に沿って切り取られた概略断面図である。
【図５】余裕を持ってサイズ設定され、緩く嵌合し、曲げて開く平坦なポリパックティッシュカセットの別の図である。
【図６】本発明の曲げて開くポリパックティッシュカセットの開封を示す概略的な線図である。
【図７】本発明の曲げて開くポリパックティッシュカセットの開封を示す概略的な線図である。
【図８】横断方向に延びる中央脆弱線を有する、余裕を持ってサイズ設定され、緩く嵌合し、曲げて開く、または撓ませて開く、平坦なポリパックティッシュカセットとの使用に適したプラスチックオーバーシェルの概略等角斜視図である。
【図９】横断方向に延びる中央脆弱線を有する、余裕を持ってサイズ設定され、緩く嵌合し、曲げて開く、または撓ませて開く、平坦なポリパックティッシュカセットを形成するのに適したポリエチレンシートの概略図である。
【図１０】他のシートと共に積み重ねられてティッシュクリップを形成する前の、ティッシュの事前に折り畳まれたシートの寸法の図である。
【図１１】これもまた、本発明の曲げて開くポリパックティッシュカセットとの使用に適した長い箱のオーバーシェルを示す図である。
【図１２】これもまた、本発明の曲げて開くポリパックティッシュカセットとの使用にも適した長い箱のオーバーシェルを示す図である。
【図１３】これもまた、本発明の曲げて開くポリパックティッシュカセットとの使用にも適した長い箱のオーバーシェルを示す図である。
【図１４】図１１の線１４−１４に沿って切り取られた断面図である。
【図１５】図１２の線１５−１５に沿って切り取られた断面図である。
【図１６】本発明のポリパックティッシュカセットとの使用に適した長い箱のオーバーシェルを示す概略等角斜視図である。
【図１７】横断方向周囲が、ティッシュのクリップ上で測定される場所を示す図である。
【図１８】１つのプラスチックオーバーシェルおよび本発明の複数のポリパックティッシュカセットを備える本発明の組合せパックを示す図である。
【図１９】余裕を持ってサイズ設定され、緩く嵌合し、撓ませて開く、平坦なポリパックティッシュカセットを形成するのに適した別のポリマーシートの概略図である。
【図２０】余裕を持ってサイズ設定され、緩く嵌合し、撓ませて開く、平坦なポリパックティッシュカセットを形成するのに適したポリマーシート上に印刷された、ほとんど言葉によらない使用指示書を示す図である。
【図２０Ａ】余裕を持ってサイズ設定され、緩く嵌合し、撓ませて開く、平坦なポリパックティッシュカセットを形成するのに適したポリマーシート上に印刷された、ほとんど言葉によらない使用指示書を示す図である。
【図２０Ｂ】余裕を持ってサイズ設定され、緩く嵌合し、撓ませて開く、平坦なポリパックティッシュカセットを形成するのに適したポリマーシート上に印刷された、ほとんど言葉によらない使用指示書を示す図である。
【図２０Ｃ】余裕を持ってサイズ設定され、緩く嵌合し、撓ませて開く、平坦なポリパックティッシュカセットを形成するのに適したポリマーシート上に印刷された、ほとんど言葉によらない使用指示書を示す図である。
【発明を実施するための形態】
【００１２】
図１〜５において、約１〜２ミルの厚さを有するポリマーシート２１から形成され、約１２．２５インチ（３１．１２ｃｍ）の長さおよび約６インチ（１５．２４ｃｍ）の幅を有するポリパックティッシュカセット２０は、約８．２５インチ（２０．９６ｃｍ）の長さおよび約４インチ（１０．１６ｃｍ）の幅を有する折り込まれたティッシュクリップ２２を包含する。通常、各クリップ２２は、約７５枚から約１５０枚、好ましくは約８０〜１４０枚、より好ましくは約８５〜１３５枚、さらにより好ましくは約９０〜１３０枚、最も好ましくは約１００枚の、１枚重ねまたは複数重ねのティッシュ、好ましくは、約２５〜４０ｇｓｍ（１５〜２０ｌｂ／３０００平方フィートリーム）、または約２３〜４１ｇｓｍ（１４〜２５ｌｂ／３０００平方フィートリーム）、好ましくは２４〜３６ｇｓｍ（１５〜２２ｌｂ／３０００平方フィートリーム）、より好ましくは約２６〜３４ｇｓｍ（１６〜２１ｌｂ／３０００平方フィートリーム）、最も好ましくは約２９〜３３ｇｓｍ（１８〜２０ｌｂｓ／３０００平方フィートリーム）の基本重量を有する２枚重ねティッシュを保持する。
【００１３】
最も好ましい実施形態では、２枚重ねティッシュのクリップ２２は、８シートあたり約４０から約７５ミル、好ましくは８シートあたり約４５から７０ミル、より好ましくは８シートあたり約５０から約６５ミル、さらにより好ましくは８シートあたり約５２から約６０ミルのキャリパを有する。したがってクリップ２２は、約０．７５”（１．９１ｃｍ）から約２．８”（７．１１ｃｍ）、好ましくは約０．８”（２．０３ｃｍ）から約２．５”（６．３５ｃｍ）、より好ましくは約１”（２．５４ｃｍ）から約２．２”（５．５９ｃｍ）、さらにより好ましくは約１．１”（２．７９ｃｍ）から約２”（５．０８ｃｍ）、さらにより好ましくは約１．２”（３．０５ｃｍ）から約１．８”（４．５７ｃｍ）の高さを有する。最も好ましい実施形態では、ティッシュの各クリップ２２は、約１７から２１ｌｂｓ／３０００平方フィートリームの基本重量と、５０から７０ミル／８シートのキャリパと、約１．２”（３．０５ｃｍ）から約１．５”（３．８１ｃｍ）〜約１．６”（４．０６ｃｍ）の高さとを有する、約９０から１００枚の１枚重ねまたは２枚重ねシートを含む。横断方向に延びる中央脆弱線２４が、ティッシュクリップ２２を取り囲むポリを横切って延びる穿孔２８の線２６によって形成される。ポリパックティッシュカセット２０の長さおよび幅と、折り込まれたティッシュクリップ２２の長さおよび幅との間の差違を鑑みて、ポリパックティッシュカセット２０は、その中のティッシュクリップ２２に対して余裕を持ってサイズ設定され、緩く嵌合するものであることが理解され得る。ティッシュシートを容易に取り出すために、クリップの横断方向周囲の、ポリの内部横断方向周囲に対する比は、好ましくは、約０．７０から約０．９５の間、より好ましくは約０．７５から０．９２の間、さらにより好ましくは約０．８０から０．９０の間である。他の場合では、クリップ２２の横断方向周囲の、ポリパックティッシュカセット２０の内部横断方向周囲に対する比は、約０．５５から約０．８５の間、約０．６０から０．８２の間、約０．６５から０．８およびまたは約０．７０の間でよく、横断方向周囲は、図１７に示すようにクリップ２２の幅の周りで切り取られたものである。同様に、ティッシュクリップ２２の長手方向周囲の、ポリパックの内部長手方向周囲に対する比は、約０．８から約０．９６、より好ましくは約０．８８から約０．９６、さらにより好ましくは約０．９２から約０．９５の範囲にあることが好ましい。最も好ましくは、比は０．９０から０．９５の間にある。穿孔線から形成された横断方向開口部の長さが、Ｗ＋Ｈを超え、Ｗ＋２Ｈに近いものであるポリマー上包みの場合、クリップの横断方向周囲の、ポリの内部横断方向周囲に対する比は、好ましくは、約０．７０から約０．９５の間、より好ましくは約０．７５から０．９２の間、さらにより好ましくは約０．８０から０．９０の間、最も好ましくは約０．８２から０．８９の間である。
【００１４】
本発明はまた、３０００平方フィートリームあたり１６から２５ポンドの基本重量と、５０から１３０ミル／８シートの間のキャリパとを有するナプキンストック、３０００平方フィートリームあたり２０から４０ポンドの基本重量と、８シートあたり５０から７０ミルのキャリパとを有するタオル、および３０００平方フィートリームあたり１５から３０ポンドの基本重量と、８シートあたり３０から７０ミルの間のキャリパとを有する拭き取り紙と共に使用するのにも適している。これらの製品の場合、紙製品のクリップの横断方向周囲の、ポリマー上包みの横断方向内部周囲に対する比は、約０．７７２から約０．９２の範囲内であることが好ましい。同様に、紙製品のクリップの長手方向周囲の、ポリマー上包みの長手方向内部周囲に対する比は、約０．８８から０．９６の間であるべきである。
【００１５】
図１〜５では、各穿孔２８は、２．７５ｍｍの長さを有し、一方で穿孔２８間のランド３０の長さは、０．９１５ｍｍであり、脆弱線２４の合計長さは、約５インチ（１２．７ｃｍ）であるが、多くの場合、脆弱線の長さは、７インチ（１７．７８ｃｍ）以上の大きさとなる。この実施形態では、脆弱線２４は、ティッシュカセット２０を上包みするポリマーシート２１の深さを通って延びる穿孔２８から形成される。穿孔はまた、供給前にカセット内に同伴された空気を、カセットを破くことなく解放するのを可能にするのに十分な深さで形成され得る。この「平坦化」は、より多くのカセットをカートン内に嵌めることを可能にし得る。この平坦化はまた、ポリシート自体内にピンホールを置くことによって達成され得る。多くの場合、穿孔の１つまたは２つのみが、フィルムを完全に通過して延びるだけでよく、他の穿孔はスコアラインのより近くにある。
【００１６】
本明細書において最も好まれるものからサイズ変動するティッシュカセット２０に関して、穿孔線の長さＬは、望ましくは少なくともＬ＝Ｗ＋Ｈから約Ｌ＝Ｗ＋２Ｈまでとなる。
【００１７】
本明細書および特許請求の範囲を通じて、用語「ポリ−」、「ポリ」および「ポリマー」は、包装ラップに適したすべての変形形態におけるポリエチレン、ポリプロピレン、包装ラップに適したポリオレフィン、ならびに上包みとして通常使用される、他の適切な可撓性の、遮水ポリマー材料を含むように理解されなければならない。本明細書では、すべての測定は、別途明記されない限り、適用可能なＴＡＰＰＩ標準にしたがって行われる。
【００１８】
図４において、余裕を持ってサイズ設定され、緩く嵌合し、曲げて開く／２回撓ませて開く平坦なポリパックティッシュカセット２０の図２の線４−４に沿って切り取られた概略断面図は、さらに、折り込まれたティッシュクリップ２２を包むのに使用される、十分な大きさのポリマーラップを示す。ティッシュカセット２０の下側の長手方向に延びる中央線３２に沿って、上包みのフィン縫目３４がそこに従属する。横断方向に延びるへり部３６も見ることができる。
【００１９】
図５は、ティッシュクリップ２２を包含するポリマーシート２１内に形成された横断方向に延びる脆弱線２４を有する、余裕を持ってサイズ設定され、緩く嵌合し、曲げて開く平坦なポリパックティッシュカセット２０を示す。横断方向に延びるへり部３６も見ることができる。
【００２０】
図６および７は、本発明のポリパックティッシュカセット２０の開封を示しており、ここで図６は、脆弱線２４に沿って破る直前のポリパックティッシュカセット２０を示しており、図７はその直後を示している。
【００２１】
（図１を参照して）図８は、上面４２内に長円開口部４０を有するプラスチックオーバーシェル３８の概略等角斜視図を示し、プラスチックオーバーシェル３８は、横断方向に延びる中央脆弱線２４を有する、余裕を持ってサイズ設定され、緩く嵌合し、曲げて開く平坦なポリパックティッシュカセット２０（図示せず）との使用に適している。
【００２２】
図９は、８．８５”（２２．４８ｃｍ）の長さ、７．６５”（１９．４３ｃｍ）の幅であり、その中に結果として４インチ（１０．１６ｃｍ）の折り畳み幅を生じさせる長手方向折り畳み部を有する２枚重ねティッシュシートの９６シートクリップとの使用に適した寸法を示す、横断方向に延びる中央脆弱線２４を有する、余裕を持ってサイズ設定され、緩く嵌合し、曲げて開く平坦なポリパックティッシュカセットを形成するのに適した寸法を示すポリマーシート２１の概略図であり、各２枚重ねティッシュシートは、各シートが図１０に示す構成に折り畳まれたとき、約２０ｌｂｓ／３０００平方フィートリームの基本重量を有する。多くの場合、現実的にはより長いスコアラインの使用に関連する不都合はないため、総穿孔領域を約７インチ（１７．７８ｃｍ）以上の大きさまで長くして開封を容易にすることが好都合になり得る。図１９および２０を参照されたい。
【００２３】
図１０は、クリップ２２（図１に示す）に組み込まれる前に事前に折り畳まれたときのティッシュの各シートの大まかな寸法を示す。
【００２４】
図１１〜１３において、長円供給開口部４１を有する長い箱のオーバーシェル３９は、ブティックサイズのプラスチックオーバーシェル３８（図８）にも嵌まるティッシュカセット２０を折り畳む必要なく受け入れる。大抵の場合、ポリパックティッシュカセット２０（図１）は、この場合も上記で説明したように曲げる、撓ませる、または折り畳むことによって開封され、その後長い箱のオーバーシェル３９内に位置するように広げられる。
【００２５】
（図２を参照する）図１４および１５では、長い箱のオーバーシェル３９内のポリパックティッシュカセット２０の配設が示され、一方で図１６は、長円供給開口部４１を有する長い箱のオーバーシェル３９の等角斜視図であり、図１７は、ティッシュクリップ２２の横断方向周囲が測定される場所を示している。
【００２６】
図１８は、消費者にこの包装形態を周知するための、いくつかのポリパックティッシュカセット２０およびプラスチックオーバーシェル３８をポリ上包み４５に入れたスタータパックを示す。
【００２７】
図１９は、各シートが８．４インチ×８インチ（２１３ｍｍ×２０３ｍｍ）である２枚重ねティッシュの９６シートクリップを収容するようにサイズ設定されたポリマー上包みの寸法を示し、一方で図２０は、本発明の実施に使用される、上包み上に印刷するのに適した言葉による指示および言葉によらない指示の組合せを示す。通常、供給を容易にするために、完全なティッシュパックの内部幅は、ティッシュクリップ２２の幅を、少なくとも約１．７５インチ（４．４５ｃｍ）だけ、より好ましくは少なくとも約２インチ（５．０８ｃｍ）だけ、より好ましくは少なくとも約２．２５インチ（５．７２ｃｍ）だけ、さらにより好ましくは少なくとも約２．５インチ（６．３５ｃｍ）だけ、最も好ましくは少なくとも約２．７５インチ（６．９９ｃｍ）だけ超えることが好ましい。さらに、上包みの内部長さは、ティッシュクリップ２２の長さを、少なくとも約０．７５インチ（１．９１ｃｍ）だけ、より好ましくは少なくとも約１．０インチ（２．５４ｃｍ）だけ、より好ましくは少なくとも約１．２５インチ（３．１８ｃｍ）だけ、最も好ましくは少なくとも約１．３５インチ（３．４３ｃｍ）だけ超えることが好ましい。供給を最適にするために、ポリマーシート２１の内部周辺部の、ティッシュクリップ２２の横断方向周辺部に対する比は、上記で規定した範囲内にある。また、使用および開封指示書が、すべての作業者が自身の経歴に関係無く容易に理解できるように、読み取る能力を必要としない図の形で各カセットのポリフィルム上に直接印刷されることが好ましい。図２０は、言葉による指示６６および言葉によらない絵による指示６８の適切な組合せを示す。好ましくは、カセット内の最後１５〜２０シートは、クリップ２２内の上側シートの色から変わり、または色付けされたストライプおよび／またはロゴを含み、それにより、作業者は、内側パックを取り換えるべきかどうかをすばやく判断することができる。ティッシュが供給装置内に落下する傾向は、少なくとも約０．５インチ（１．２７ｃｍ）の長さのカセットの各端部において、２つのフィルム層を一緒に熱シールすることによってへり部を設けることによって大きく軽減され得る。好ましくは、へり部は、少なくとも約０．７インチ（１．７８ｃｍ）の長さであり、より好ましくは少なくとも約０．７５インチ（１．９１ｃｍ）の長さであり、さらにより好ましくは少なくとも約０．８５インチ（２．１６ｃｍ）の長さであり、最も好ましくは少なくとも約１．０インチ（２．５４ｃｍ）の長さである。
【図１】
2018505104.tif 000003
【図２】
2018505104.tif 000004
【図３】
2018505104.tif 000005
【図４】
2018505104.tif 000006
【図５】
2018505104.tif 000007
【図６】
2018505104.tif 000008
【図７】
2018505104.tif 000009
【図８】
2018505104.tif 000010
【図９】
2018505104.tif 000011
【図１０】
2018505104.tif 000012
【図１１】
2018505104.tif 000013
【図１２】
2018505104.tif 000014
【図１３】
2018505104.tif 000015
【図１４】
2018505104.tif 000016
【図１５】
2018505104.tif 000017
【図１６】
2018505104.tif 000018
【図１７】
2018505104.tif 000019
【図１８】
2018505104.tif 000020
【図１９】
2018505104.tif 000021
【図２０】
2018505104.tif 000022
【図２０Ａ】
2018505104.tif 000023
【図２０Ｂ】
2018505104.tif 000024
【図２０Ｃ】
2018505104.tif 000025
【手続補正書】
【提出日】平成28年11月23日(2016.11.23)
【手続補正１】
【補正対象書類名】特許請求の範囲
【補正対象項目名】全文
【補正方法】変更
【補正の内容】
【特許請求の範囲】
【請求項１】
ブティックサイズの余裕を持って緩く嵌合し、曲げて開く平坦な低密度の複数のポリマーシートティッシュカセットであって、各ティッシュカセットは、熱シールされたポリマーフィルム上包みをその周りに有するティッシュのクリップを含み、前記ポリマー上包み内に、横断方向に延びる中央穿孔線が脆弱線を形成する、ポリマーシートティッシュカセットと、
少なくとも約４．５インチ（１１．４３ｃｍ）の高さおよび約４．２５インチ（１０．８ｃｍ）の横方向寸法を有する内部空洞を画定する、少なくとも４つの上方向に延びる側壁を有する、底部がない剛性の再使用可能な全体的に立方体のオーバーシェルであって、前記内部空洞は、中に供給開口部が形成された水平に延びる上壁によって閉じられる、オーバーシェルとを備え、
各前記低密度のポリマーシートティッシュカセットは、少なくとも約９．５インチ（２４．１３ｃｍ）の内部スパン長さおよび少なくとも約６．０インチ（１５．２４ｃｍ）の内部スパン幅を有し、
前記クリップ内の各前記ティッシュは、その長さに沿って、約７（１７．７８ｃｍ）から９．５インチ（２４．１３ｃｍ）の長さ、約３．５（８．８９ｃｍ）から５．７５インチ（１４．６１ｃｍ）の幅を有し、少なくとも約１５ｌｂｓ／３０００平方フィートリームの基本重量を有する約５０から１５０枚の２枚重ねシートを含む、Ｃ字形状（Ｃ字折り畳み）または折り込まれた構成から選択された構成になるように事前に折り畳まれることを特徴とするパッケージ。
【請求項２】
請求項１に記載のパッケージであって、前記立方体オーバーシェルが、少なくとも約４．７５インチ（１２．０７ｃｍ）の内部高さおよび少なくとも約４．２５インチ（１０．８ｃｍ）の内部横方向寸法を有することを特徴とするパッケージ。
【請求項３】
請求項１に記載のパッケージであって、前記立方体オーバーシェルが、少なくとも約４．８５インチ（１２．３２ｃｍ）の内部高さおよび少なくとも約４．５インチ（１１．４３ｃｍ）の内部横方向寸法を有することを特徴とするパッケージ。
【請求項４】
請求項１に記載のパッケージであって、立方体のオーバーシェルが、少なくとも約５インチ（１２．７ｃｍ）の内部高さおよび少なくとも約４．７５インチ（１２．０７ｃｍ）の内部横方向寸法を有することを特徴とするパッケージ。
【請求項５】
請求項４に記載のパッケージであって、各ポリマーティッシュカセットが、少なくとも約６．５インチ（１６．５１ｃｍ）の内部スパン幅を有し、前記ティッシュクリップが、約３．５（８．８９ｃｍ）から約５．７５インチ（１４．６１ｃｍ）の幅を有することを特徴とするパッケージ。
【請求項６】
請求項１に記載のパッケージであって、各ポリマーティッシュカセットが、少なくとも約６．５インチ（１６．５１ｃｍ）の内部スパン幅を有し、前記ティッシュクリップが、約３．５（８．８９ｃｍ）から約５．７５インチ（１４．６１ｃｍ）の幅を有することを特徴とするパッケージ。
【請求項７】
脆弱線を形成する、横断方向に延びる中央穿孔線を有する、曲げて開くポリマーシートティッシュカセットであって、前記曲げて開くポリパックティッシュカセットは、ティッシュシートの事前に折り畳まれたクリップを包含し、前記ポリパックシートティッシュカセットは、少なくとも約５．７５インチ（１４．６１ｃｍ）の内部スパン幅を有し、約５．１５インチ（１３．０８ｃｍ）を超えない幅と、約１４ｌｂｓ／３０００平方フィートリームから約２５ｌｂｓ／３０００平方フィートリームまでの基本重量とを有する少なくとも２枚重ねを有するティッシュの約７５から１２５シートを含み、前記曲げて開くポリマーシートティッシュカセットは、曲げたときに脆弱線に張力がかけられるように、少なくとも約５インチ（１２．７ｃｍ）の幅を有する開口部を形成することができる、前記カセットを横断して形成された、横断方向に延びる中央脆弱線を有することを特徴とする曲げて開くポリマーシートティッシュカセット。
【請求項８】
請求項７に記載の曲げて開くポリマーシートティッシュカセットであって、前記ポリパックシートティッシュカセットが、少なくとも約６インチ（１５．２４ｃｍ）の内部スパン幅を有し、約５インチ（１２．７ｃｍ）を超えない幅と、約１４ｌｂｓ／３０００平方フィートリームから約２５ｌｂｓ／３０００平方フィートリームまでの基本重量とを有する少なくとも２枚重ねを有するティッシュの約７５から１２５シートを含むことを特徴とする曲げて開くポリマーシートティッシュカセット。
【請求項９】
請求項８に記載の曲げて開くポリマーシートティッシュカセットであって、ティッシュの前記クリップが、約１”（２．５４ｃｍ）から約２．２”（５．５９ｃｍ）の間の高さを有することを特徴とする曲げて開くポリマーシートティッシュカセット。
【請求項１０】
内部空洞を画定する少なくとも４つの上方向に延びる側壁を有する、底部がない剛性の再使用可能な全体的に立方体のオーバーシェルを備える、ティッシュ供給システムであって、前記内部空洞が、供給開口部が中に形成された水平方向に延びる上側壁によって閉じられ、その中に、脆弱線を形成する横断方向に延びる中央穿孔線を有する、曲げて開くポリパックシートティッシュカセットが配設され、前記曲げて開くポリパックシートティッシュカセットは、ティッシュシートの事前に折り畳まれたクリップを包含し、各前記低密度のポリマーシートティッシュカセットは、そこを横切って形成された横断方向に延びる中央脆弱線であって、前記脆弱線に張力がかけられるように曲げられたときに開口部を形成することができる、中央脆弱線を有することを特徴とするティッシュ供給システム。
【請求項１１】
請求項１０に記載のティッシュ供給システムであって、前記ポリパックが、その中に包含されたティッシュの前記事前に折り畳まれたクリップの下側部分周りに耐水シールを形成することを特徴とするティッシュ供給システム。
【請求項１２】
請求項１０に記載のティッシュ供給システムであって、言語の区別を問わない絵による使用および開封指示が、ポリマー材上に印刷されることを特徴とするティッシュ供給システム。
【請求項１３】
請求項１０に記載のティッシュ供給システムであって、言語の区別を問わない絵による使用および開封指示が、前記曲げて開くポリパックシートティッシュカセットに関連付けられた包装上に印刷されることを特徴とするティッシュ供給システム。
【請求項１４】
請求項１０に記載のティッシュ供給システムであって、前記クリップ内の前記ティッシュシートが、折り込まれることを特徴とするティッシュ供給システム。
【請求項１５】
請求項１０に記載のティッシュ供給システムであって、前記クリップ内の前記ティッシュシートが、Ｃ字に折り畳まれることを特徴とするティッシュ供給システム。
【請求項１６】
請求項１０に記載のティッシュ供給システムであって、
前記ポリパックシートティッシュカセットが、少なくとも約６インチ（１５．２４ｃｍ）の内部スパン幅を有し、約５インチ（１２．７ｃｍ）を超えない幅と、約１４ｌｂｓ／３０００平方フィートリームから約２５ｌｂｓ／３０００平方フィートリームまでの基本重量とを有する少なくとも２枚重ねを有する約７５から１２５シートのティッシュを含み、
ティッシュの前記クリップが、約１”（２．５４ｃｍ）から約２．２”（５．５９ｃｍ）の間の高さを有し、
前記クリップ内の各前記ティッシュが、その長さに沿って、約７（１７．７８ｃｍ）から９．５インチ（２４．１３ｃｍ）の長さを有するＣ字形状構成になるように事前に折り畳まれ、
前記クリップの横断方向周囲の、前記ポリの内部横断方向周囲に対する比が、約０．５５から約０．８５の間であり、
前記ポリパックが、中に包含されたティッシュの前記事前に折り畳まれたクリップの前記下側部分の周りに耐水シールを形成し、
言語の区別を問わない絵による使用および開封指示が、前記曲げて開くポリパックシートティッシュカセットに関連付けられた包装上に印刷されることを特徴とするティッシュ供給システム。
【請求項１７】
請求項１０に記載のティッシュ供給システムであって、前記クリップの横断方向周囲の、前記ポリの内部横断方向周囲に対する比が、約０．５５から約０．８５の間であることを特徴とするティッシュ供給システム。
【請求項１８】
請求項１７に記載のティッシュ供給システムであって、前記ポリパックが、中に包含されたティッシュの前記事前に折り畳まれたクリップの下側部分の周りに耐水シールを形成することを特徴とするティッシュ供給システム。
【請求項１９】
脆弱線を形成する、横断方向に延びる中央穿孔線を有する、曲げて開くポリマーシートティッシュカセットであって、前記曲げて開くポリパックティッシュカセットは、ティッシュシートの事前に折り畳まれたクリップを包含し、前記ポリパックシートティッシュカセットは、少なくとも約５．７５インチ（１４．６１ｃｍ）の内部スパン幅を有し、約５．１５インチ（１３．０８ｃｍ）を超えない幅と、約１３ｌｂｓ／３０００平方フィートリームから約３０ｌｂｓ／３０００平方フィートリームまでの基本重量とを有する少なくとも２枚重ねを有するティッシュの約７５から１２５シートを含み、前記曲げて開くポリマーシートティッシュカセットは、前記カセットを横断して形成された、横断方向に延びる中央脆弱線であって、前記脆弱線を曲げたときに張力がかかるように、少なくとも約５インチ（１２．７ｃｍ）の幅を有する開口部を形成することができる、中央脆弱線を有することを特徴とする曲げて開くポリマーシートティッシュカセット。
【請求項２０】
請求項１９に記載の曲げて開くポリマーシートティッシュカセットであって、前記ポリパックシートティッシュカセットが、少なくとも約６インチ（１５．２４ｃｍ）の内部スパン幅を有し、約５インチ（１２．７ｃｍ）を超えない幅と、約１５ｌｂｓ／３０００平方フィートリームから約２７ｌｂｓ／３０００平方フィートリームまでの基本重量とを有する少なくとも２枚重ねを有するティッシュの約７５から１２５シートを含むことを特徴とする曲げて開くポリマーシートティッシュカセット。
【請求項２１】
請求項１９に記載の曲げて開くポリマーシートティッシュカセットであって、ティッシュの前記クリップが、約１”（２．５４ｃｍ）から約２．２”（５．５９ｃｍ）の間の高さを有することを特徴とする曲げて開くポリマーシートティッシュカセット。
【請求項２２】
請求項２１に記載の曲げて開くポリマーシートティッシュカセットであって、前記クリップの横断方向周囲の、前記ポリの内部横断方向周囲に対する比が、約０．７から約０．９５の間であることを特徴とする曲げて開くポリマーシートティッシュカセット。
【請求項２３】
脆弱線を形成する、横断方向に延びる中央穿孔線を有する、曲げて開くポリマーシートティッシュカセットであって、前記曲げて開くポリパックティッシュカセットは、約１３ｌｂｓ／３０００平方フィートリームから約４０ｌｂｓ／３０００平方フィートリームまでの基本重量と、８シートあたり約３０から１３０ミルの間であるキャリパとを有するティッシュの約７５から１２５ティッシュシートの事前に折り畳まれたクリップを包含し、前記クリップの横断方向周囲が、前記ポリパックの内部横断方向周囲の約０．７７から０．９２の間であり、前記曲げて開くポリマーシートティッシュカセットが、そこを横切って形成された、横断方向に延びる中央脆弱線であって、曲げたときに前記脆弱線に張力がかけられるように、前記ティッシュクリップの前記幅および高さの少なくともほぼ合計の長さを有する開口部を形成することができる、中央脆弱線を有することを特徴とする曲げて開くポリマーシートティッシュカセット。
【請求項２４】
請求項２３に記載の曲げて開くポリマーシートティッシュカセットであって、前記ティッシュ製品が：
（ａ）３０００平方フィートリームあたり約１６から２５ポンドの基本重量と、８シートあたり約５０から１３０ミルの間のキャリパとを有するナプキンストック、
（ｂ）約１４から２５ｌｂｓ／３０００平方フィートリームの基本重量と、８シートあたり約４０から７０ミルの間のキャリパとを有するティッシュペーパストック、
（ｃ）３０００平方フィートリームあたり約２０から４０ポンドの間の基本重量と、８シートあたり約５０から７０ミルの間のキャリパとを有するタオルストック、および
（ｄ）３０００平方フィートリームあたり１５から３０ポンドの間の基本重量と、８シートあたり３０から７０ミルの間のキャリパとを有する拭き取り紙ストックからなる群から選択されることを特徴とする曲げて開くポリマーシートティッシュカセット。
【国際調査報告】
2018505104.tif 000026
2018505104.tif 000027
2018505104.tif 000028